(57)【要約】【課題】  液晶ディスプレイの下部基板に適用されてその補修線路の負荷過大による画素表示異常現象現象の発生率を低減するフラットパネルディスプレイ用下部基板。【解決手段】  アクティブエリアを具えた基板と、該基板上に配置された複数の第１導電線と、複数の第２導電線、複数の第１補修線及び複数の第２補修線、及び複数の第３補修線を包含し、該第１導電線と該第２導電線は相互に交錯するが接続されず、該第１補修線と第２補修線はそれぞれこれら第２導電線と交錯するが、このアクティブエリア外の二つの対向側に電気的に不接続であり、該第３補修線はアクティブエリア外に位置し並びにこの第１補修線及び第２補修線と電気的に接続される。第２導電線は複数の第２導電線グループを構成し、且つ各第２導電線グループはそれぞれ第３補修線の一つに対応する。【選択図】        図４
2009020477.tif 000002
【特許請求の範囲】
【請求項１】
フラットパネルディスプレイ用下部基板において、
アクティブエリアを具えた基板と、
該基板上に配置された複数の第１導電線と、
該基板上に配置され、且つこれら第１導電線と該アクティブエリアにおいて交錯するが電気的に不接続である、複数の第２導電線と、
該アクティブエリア外の一側に位置し、これら第２導電線と交錯するが電気的に不接続である、複数の第１補修線と、
該アクティブエリア外のこれら第１補修線に対向する別の一側に位置し、これら第２導電と交錯するが電気的に不接続である、複数の第２補修線と、
該アクティブエリア外の、これら第１補修線とこれら第２補修線と異なる一側に形成され、且つそれぞれこれら第１補修線のうちの一つ及びこれら第２補修線のうちの一つと電気的に接続された、複数の第３補修線と、
を包含し、そのうち、これら第２導電線が複数の第２導電線グループを構成し、且つ各第２導電線グループがそれぞれこれら第３補修線のうちの一つに対応することを特徴とする、フラットパネルディスプレイ用下部基板。
【請求項２】
請求項１記載のフラットパネルディスプレイ用下部基板において、これら第１補修線の、これら第２導電線との交錯部分の幅は、これら第１補修線のその他の部分の幅より小さいことを特徴とする、フラットパネルディスプレイ用下部基板。
【請求項３】
請求項１記載のフラットパネルディスプレイ用下部基板において、これら第２補修線の、これら第２導電線との交錯部分の幅は、これら第２補修線のその他の部分の幅より小さいことを特徴とする、フラットパネルディスプレイ用下部基板。
【請求項４】
請求項１記載のフラットパネルディスプレイ用下部基板において、各該第２導電線グループは同じ数のこれら第２導電線で構成されたことを特徴とする、フラットパネルディスプレイ用下部基板。
【請求項５】
請求項１記載のフラットパネルディスプレイ用下部基板において、各該第３補修線は該基板に形成された第１導電層、該第１導電層の表面を被覆する絶縁層、該絶縁層の表面に位置する第２導電層及び該第２導電層の表面を被覆する保護層で構成されたことを特徴とする、フラットパネルディスプレイ用下部基板。
【請求項６】
請求項５記載のフラットパネルディスプレイ用下部基板において、各該第３補修線に複数の導電ユニットが設けられ、且つこれら導電ユニットはそれぞれ該第１導電層及び該第２導電層と電気的に接続されたことを特徴とする、フラットパネルディスプレイ用下部基板。
【請求項７】
請求項１記載のフラットパネルディスプレイ用下部基板において、これら第３補修線の数は２から８とされることを特徴とする、フラットパネルディスプレイ用下部基板。
【請求項８】
請求項１記載のフラットパネルディスプレイ用下部基板において、各該第１補修線は該基板に形成された第１導電層と絶縁層で構成され、且つ該絶縁層は該第１導電層の表面を被覆することを特徴とする、フラットパネルディスプレイ用下部基板。
【請求項９】
請求項１記載のフラットパネルディスプレイ用下部基板において、各該第２補修線は該基板に形成された第１導電層と絶縁層で構成され、且つ該絶縁層は該第１導電層の表面を被覆することを特徴とする、フラットパネルディスプレイ用下部基板。
【請求項１０】
請求項１記載のフラットパネルディスプレイ用下部基板において、それぞれがこれら第２導電線と電気的に接続された複数の駆動チップを包含し、且つこれら第３補修線の少なくとも一つがこれら第１補修線より延伸されて二つの隣り合うこれら駆動チップの間を通過し、これら第２補修線と電気的に接続されたことを特徴とする、フラットパネルディスプレイ用下部基板。
【請求項１１】
請求項１記載のフラットパネルディスプレイ用下部基板において、各該第３補修線がそれぞれスイッチユニットに電気的に接続され、且つこれらスイッチユニットがこれら第１補修線の近隣に設置されたことを特徴とする、フラットパネルディスプレイ用下部基板。
【請求項１２】
請求項１記載のフラットパネルディスプレイ用下部基板において、これら第３補修線の少なくとも一つがこれら第１補修線より延伸されて二つの隣り合うこれら第２導電線グループの間を通過し、これら第２補修線と電気的に接続されたことを特徴とする、フラットパネルディスプレイ用下部基板。
【請求項１３】
請求項１記載のフラットパネルディスプレイ用下部基板において、これら第３補修線の少なくとも一つがこれら第１補修線より延伸されてこれら第２導電線グループの中を通過し、これら第２補修線と電気的に接続されたことを特徴とする、フラットパネルディスプレイ用下部基板。
【請求項１４】
請求項１記載のフラットパネルディスプレイ用下部基板において、該フラットパネルディスプレイは液晶ディスプレイ或いは有機発光ダイオードディスプレイとされたことを特徴とする、フラットパネルディスプレイ用下部基板。
【請求項１５】
フラットパネルディスプレイ用下部基板に用いられるフラットパネルディスプレイ用下部基板の補修方法において
（Ａ）フラットパネルディスプレイ用下部基板を提供するステップであって、このステップにおいて、このフラットパネルディスプレイ用下部基板は、アクティブエリアを具えた基板と、該基板上に配置された複数の第１導電線と、該基板上に配置されて且つこれら第１導電線と該アクティブエリアにおいて交錯するが電気的に不接続である複数の第２導電線と、該アクティブエリア外の一側に位置し、これら第２導電線と交錯するが電気的に不接続である複数の第１補修線と、該アクティブエリア外のこれら第１補修線と反対の一側に位置してこれら第２導電線線と交錯するが電気的に不接続である複数の第２補修線と、該アクティブエリア外のこれら第１補修線と第２補修線と異なる一側に形成され、且つこれら第１補修線の一つ及びこれら第２補修線の一つの電気的に接続された複数の第３補修線と、を包含し、そのうち、これら第２導電線は複数の第２導電線グループを構成し、且つこれら第２導電線グループはそれぞれこれら第３補修線の一つに対応し、これら第２導電線の少なくとも一つがこのアクティブエリア内で切欠きを有するものとする、ステップ、
（Ｂ）この切欠きを有する第２導電線とこれら第１補修線の交錯部分を溶接し、この切欠きを有する第２導電線とこれら第１補修線を電気的に接続させるステップ、
（Ｃ）この切欠きを有する第２導電線とこれら第２補修線の交錯部分を溶接し、この切欠きを有する第２導電線とこれら第２補修線を電気的に接続させるステップ、
を包含することを特徴とする、フラットパネルディスプレイ用下部基板の補修方法。
【請求項１６】
請求項１５記載のフラットパネルディスプレイ用下部基板の補修方法において、前記（Ｂ）及び（Ｃ）のステップの少なくとも一方で、レーザー照射方式で溶接を行うことを特徴とする、フラットパネルディスプレイ用下部基板の補修方法。
【請求項１７】
請求項１５記載のフラットパネルディスプレイ用下部基板の補修方法において、前記（Ｂ）のステップの後に、
（Ｂ１）これら第１補修線にあって、この切欠きを有する第２導電線との交錯部分の一側を切断するステップ、
を更に包含することを特徴とする、フラットパネルディスプレイ用下部基板の補修方法。
【請求項１８】
請求項１７記載のフラットパネルディスプレイ用下部基板の補修方法において、前記（Ｃ）のステップの後に、
（Ｃ１）これら第２補修線にあって、この切欠きを有する第２導電線との交錯部分の一側を切断するステップ、
を更に包含することを特徴とする、フラットパネルディスプレイ用下部基板の補修方法。
【請求項１９】
請求項１８記載のフラットパネルディスプレイ用下部基板の補修方法において、前記（Ｂ１）と（Ｃ１）のステップのうち少なくとも一方で、レーザー照射方式で切断を行うことを特徴とする、フラットパネルディスプレイ用下部基板の補修方法。
【発明の詳細な説明】
【技術分野】
【０００１】
本発明は一種のフラットパネルディスプレイ用下部基板に係り、特に、液晶ディスプレイに適用されて、その補修線路の負荷過大による画素表示異常現象現象の発生率を低減する基板に関する。
【背景技術】
【０００２】
図１は周知のフラットパネルディスプレイ用下部基板の表示図である。図１に示されるように、周知のフラットパネルディスプレイ用下部基板１は、基板１１、複数の走査線１２、複数のデータ線１３、複数の第１補修線１４、複数の第２補修線１５及び複数の第３補修線１６を包含する。基板１１はアクティブエリア１１１を包含し、走査線１２及びデータ線１３は基板１１上に配置される。走査線１２及びデータ線１３はアクティブエリア１１１内で交錯するが、相互間は電気的に接続されない。また、第１補修線１４と第２補修線１５はいずれもアクティブエリア１１１外に位置し、それぞれアクティブエリアの上側及び下側でデータ線１３と交錯するが、一般の状況では、第１補修線１４と第２補修線１５はデータ線１３と電気的に接続されない。このほか、図１に示されるように、周知のフラットパネルディスプレイ用下部基板１は、複数の第１ボンディングパッド１７と第２ボンディングパッド１８によりそれぞれ複数のデータ駆動チップ（図示せず）及び複数の走査駆動チップ（図示せず）に結合され、複数のデータ線１３がこれにより電気的にデータ駆動チップ（図示せず）に接続されてデータ信号を受け取り、複数の走査線１２が電気的に前述の走査駆動チップ（図示せず）に接続されて走査信号を受け取る。
【０００３】
図２は図１中の第１補修線とデータ線の交錯方式の拡大表示図である。図３は図１中の第２補修線とデータ線の交錯方式の拡大表示図である。図１から図３を参照されたい。データ線１３１が切欠き１３２を具備する時、レーザー照射方式でデータ線１３１と第１補修線１４の交錯部分１３３及びデータ線１３１と第２補修線１５の交錯部分１３４を溶接して、データ駆動チップ（図示せず）の発生する信号を、第１補修線１４、第３補修線１６、第２補修線１５及び切欠き１３２下方に位置するデータ線１３１で構成された「補修線路」により切欠き１３２下方に位置する画素の薄膜トランジスタ（図示せず）に到達させ、これによりこの画素が再度データ駆動チップ（図示せず）の制御を受けて作動できるようにする。
【発明の開示】
【発明が解決しようとする課題】
【０００４】
上述の周知のフラットパネルディスプレイ用下部基板において、第１補修線１４及び第２補修線１５及びデータ線１３はそれぞれアクティブエリア１１１の上側と下側で交錯し、ゆえに第１補修線１４と第２補修線１５は各データ線１３とそれぞれ交錯し、ゆえに、「補修線路」が運転する時、第１補修線１４と第２補修線１５とデータ線１３の交錯部分に発生するキャパシタンスは、この「補修線路」の負荷を増加させ得る。これにより、切欠き１３２下方に位置する画素の薄膜トランジスタ（図示せず）は補修プロセスにより新たに作動可能とはいえ、その反応速度はその他の画素の薄膜トランジスタ（図示せず）より遅く、画面に異常を発生させ、即ち、画素表示異常現象現象を発生させる。
【０００５】
このため、業界では、補修線路の負荷過大により形成される画素表示異常現象現象の発生率を減らすフラットパネルディスプレイ用下部基板及び補修方法により、フラットパネルディスプレイの補修プロセス後に、その表示画面を正常に維持し、一部の領域の画面の反応速度が遅くなるのを防止することが必要とされている。
【課題を解決するための手段】
【０００６】
請求項１の発明は、フラットパネルディスプレイ用下部基板において、
アクティブエリアを具えた基板と、
該基板上に配置された複数の第１導電線と、
該基板上に配置され、且つこれら第１導電線と該アクティブエリアにおいて交錯するが電気的に不接続である、複数の第２導電線と、
該アクティブエリア外の一側に位置し、これら第２導電線と交錯するが電気的に不接続である、複数の第１補修線と、
該アクティブエリア外のこれら第１補修線に対向する別の一側に位置し、これら第２導電と交錯するが電気的に不接続である、複数の第２補修線と、
該アクティブエリア外の、これら第１補修線とこれら第２補修線と異なる一側に形成され、且つそれぞれこれら第１補修線のうちの一つ及びこれら第２補修線のうちの一つと電気的に接続された、複数の第３補修線と、
を包含し、そのうち、これら第２導電線が複数の第２導電線グループを構成し、且つ各第２導電線グループがそれぞれこれら第３補修線のうちの一つに対応することを特徴とする、フラットパネルディスプレイ用下部基板としている。
請求項２の発明は、請求項１記載のフラットパネルディスプレイ用下部基板において、これら第１補修線の、これら第２導電線との交錯部分の幅は、これら第１補修線のその他の部分の幅より小さいことを特徴とする、フラットパネルディスプレイ用下部基板としている。
請求項３の発明は、請求項１記載のフラットパネルディスプレイ用下部基板において、これら第２補修線の、これら第２導電線との交錯部分の幅は、これら第２補修線のその他の部分の幅より小さいことを特徴とする、フラットパネルディスプレイ用下部基板としている。
請求項４の発明は、請求項１記載のフラットパネルディスプレイ用下部基板において、各該第２導電線グループは同じ数のこれら第２導電線で構成されたことを特徴とする、フラットパネルディスプレイ用下部基板としている。
請求項５の発明は、請求項１記載のフラットパネルディスプレイ用下部基板において、各該第３補修線は該基板に形成された第１導電層、該第１導電層の表面を被覆する絶縁層、該絶縁層の表面に位置する第２導電層及び該第２導電層の表面を被覆する保護層で構成されたことを特徴とする、フラットパネルディスプレイ用下部基板としている。
請求項６の発明は、請求項５記載のフラットパネルディスプレイ用下部基板において、各該第３補修線に複数の導電ユニットが設けられ、且つこれら導電ユニットはそれぞれ該第１導電層及び該第２導電層と電気的に接続されたことを特徴とする、フラットパネルディスプレイ用下部基板としている。
請求項７の発明は、請求項１記載のフラットパネルディスプレイ用下部基板において、これら第３補修線の数は２から８とされることを特徴とする、フラットパネルディスプレイ用下部基板としている。
請求項８の発明は、請求項１記載のフラットパネルディスプレイ用下部基板において、各該第１補修線は該基板に形成された第１導電層と絶縁層で構成され、且つ該絶縁層は該第１導電層の表面を被覆することを特徴とする、フラットパネルディスプレイ用下部基板としている。
請求項９の発明は、請求項１記載のフラットパネルディスプレイ用下部基板において、各該第２補修線は該基板に形成された第１導電層と絶縁層で構成され、且つ該絶縁層は該第１導電層の表面を被覆することを特徴とする、フラットパネルディスプレイ用下部基板としている。
請求項１０の発明は、請求項１記載のフラットパネルディスプレイ用下部基板において、それぞれがこれら第２導電線と電気的に接続された複数の駆動チップを包含し、且つこれら第３補修線の少なくとも一つがこれら第１補修線より延伸されて二つの隣り合うこれら駆動チップの間を通過し、これら第２補修線と電気的に接続されたことを特徴とする、フラットパネルディスプレイ用下部基板としている。
請求項１１の発明は、請求項１記載のフラットパネルディスプレイ用下部基板において、各該第３補修線がそれぞれスイッチユニットに電気的に接続され、且つこれらスイッチユニットがこれら第１補修線の近隣に設置されたことを特徴とする、フラットパネルディスプレイ用下部基板としている。
請求項１２の発明は、請求項１記載のフラットパネルディスプレイ用下部基板において、これら第３補修線の少なくとも一つがこれら第１補修線より延伸されて二つの隣り合うこれら第２導電線グループの間を通過し、これら第２補修線と電気的に接続されたことを特徴とする、フラットパネルディスプレイ用下部基板としている。
請求項１３の発明は、請求項１記載のフラットパネルディスプレイ用下部基板において、これら第３補修線の少なくとも一つがこれら第１補修線より延伸されてこれら第２導電線グループの中を通過し、これら第２補修線と電気的に接続されたことを特徴とする、フラットパネルディスプレイ用下部基板としている。
請求項１４の発明は、請求項１記載のフラットパネルディスプレイ用下部基板において、該フラットパネルディスプレイは液晶ディスプレイ或いは有機発光ダイオードディスプレイとされたことを特徴とする、フラットパネルディスプレイ用下部基板としている。
請求項１５の発明は、フラットパネルディスプレイ用下部基板に用いられるフラットパネルディスプレイ用下部基板の補修方法において
（Ａ）フラットパネルディスプレイ用下部基板を提供するステップであって、このステップにおいて、このフラットパネルディスプレイ用下部基板は、アクティブエリアを具えた基板と、該基板上に配置された複数の第１導電線と、該基板上に配置されて且つこれら第１導電線と該アクティブエリアにおいて交錯するが電気的に不接続である複数の第２導電線と、該アクティブエリア外の一側に位置し、これら第２導電線と交錯するが電気的に不接続である複数の第１補修線と、該アクティブエリア外のこれら第１補修線と反対の一側に位置してこれら第２導電線線と交錯するが電気的に不接続である複数の第２補修線と、該アクティブエリア外のこれら第１補修線と第２補修線と異なる一側に形成され、且つこれら第１補修線の一つ及びこれら第２補修線の一つの電気的に接続された複数の第３補修線と、を包含し、そのうち、これら第２導電線は複数の第２導電線グループを構成し、且つこれら第２導電線グループはそれぞれこれら第３補修線の一つに対応し、これら第２導電線の少なくとも一つがこのアクティブエリア内で切欠きを有するものとする、ステップ、
（Ｂ）この切欠きを有する第２導電線とこれら第１補修線の交錯部分を溶接し、この切欠きを有する第２導電線とこれら第１補修線を電気的に接続させるステップ、
（Ｃ）この切欠きを有する第２導電線とこれら第２補修線の交錯部分を溶接し、この切欠きを有する第２導電線とこれら第２補修線を電気的に接続させるステップ、
を包含することを特徴とする、フラットパネルディスプレイ用下部基板の補修方法としている。
請求項１６の発明は、請求項１５記載のフラットパネルディスプレイ用下部基板の補修方法において、前記（Ｂ）及び（Ｃ）のステップの少なくとも一方で、レーザー照射方式で溶接を行うことを特徴とする、フラットパネルディスプレイ用下部基板の補修方法としている。
請求項１７の発明は、請求項１５記載のフラットパネルディスプレイ用下部基板の補修方法において、前記（Ｂ）のステップの後に、
（Ｂ１）これら第１補修線にあって、この切欠きを有する第２導電線との交錯部分の一側を切断するステップ、
を更に包含することを特徴とする、フラットパネルディスプレイ用下部基板の補修方法としている。
請求項１８の発明は、請求項１７記載のフラットパネルディスプレイ用下部基板の補修方法において、前記（Ｃ）のステップの後に、
（Ｃ１）これら第２補修線にあって、この切欠きを有する第２導電線との交錯部分の一側を切断するステップ、
を更に包含することを特徴とする、フラットパネルディスプレイ用下部基板の補修方法としている。
請求項１９の発明は、請求項１８記載のフラットパネルディスプレイ用下部基板の補修方法において、前記（Ｂ１）と（Ｃ１）のステップのうち少なくとも一方で、レーザー照射方式で切断を行うことを特徴とする、フラットパネルディスプレイ用下部基板の補修方法としている。
【発明の効果】
【０００７】
総合すると、本発明のフラットパネルディスプレイ用下部基板は、第１補修線、第２補修線、及び第３補修線で構成した「補修線路」を利用してそのデータ線の切欠きにより形成される画素表示異常現象を修復する。修復プロセスの後、データ駆動チップからの信号は、この「補修線路」を通り切欠き下方に位置する画素の薄膜トランジスタ中に至り、これらの画素が再度データ駆動チップの制御を受けて正常に動作できるようにする。このほか、本発明のフラットパネルディスプレイ用下部基板の第１補修線のデータ線との交錯部分の幅は第１補修線のその他の部分の幅より小さく、且つその第２補修線のデータ線との交錯部分の幅もまた、第２補修線のその他の部分の幅より小さく、ゆえに、この「補修線路」は第１補修線と第２補修線がそれぞれデータ線との交錯部分に発生するキャパシタンスを低減でき、これにより本発明のフラットパネルディスプレイ用下部基板の「補修線路」の運転時の負荷を軽減できる。
【０００８】
また、本発明のフラットパネルディスプレイ用下部基板の第３補修線は更に２層導電構造を具備し並びに複数の導電孔により並列回路を形成し、本発明のフラットパネルディスプレイ用下部基板の「補修線路」の抵抗は更に低減される。これにより、本発明のフラットパネルディスプレイ用下部基板の第１補修線、第２補修線及び第３補修線で構成される「補修線路」の具備する導電抵抗は伝統的な「補修線路」の導電抵抗より明らかに低くなり、それは負荷過大による画素表示異常現象の発生率を減らし、且つ本発明のフラットパネルディスプレイ用下部基板を具備するフラットパネルディスプレイは補正プロセスの後、正常に画面を表示できる。
【発明を実施するための最良の形態】
【０００９】
本発明のフラットパネルディスプレイ用下部基板は、アクティブエリアを具えた基板と、該基板上に配置された複数の第１導電線と、該基板上に配置されて且つこれら第１導電線と該アクティブエリアにおいて交錯するが電気的に不接続である複数の第２導電線と、該アクティブエリア外の一側に位置し、これら第２導電線と交錯するが電気的に不接続である複数の第１補修線と、該アクティブエリア外のこれら第１補修線と反対の一側に位置してこれら第２導電線線と交錯するが電気的に不接続である複数の第２補修線と、該アクティブエリア外のこれら第１補修線と第２補修線と異なる一側に形成され、且つこれら第１補修線の一つ及びこれら第２補修線の一つの電気的に接続された複数の第３補修線と、を包含する。そのうち、これら第２導電線は複数の第２導電線グループを構成し、且つこれら第２導電線グループはそれぞれこれら第３補修線の一つに対応する。
【００１０】
本発明のフラットパネルディスプレイ用下部基板の補修方法は、フラットパネルディスプレイ用下部基板に応用され、以下のステップを包含する。（Ａ）フラットパネルディスプレイ用下部基板を提供するステップ、このステップにおいて、このフラットパネルディスプレイ用下部基板は、アクティブエリアを具えた基板と、該基板上に配置された複数の第１導電線と、該基板上に配置されて且つこれら第１導電線と該アクティブエリアにおいて交錯するが電気的に不接続である複数の第２導電線と、該アクティブエリア外の一側に位置し、これら第２導電線と交錯するが電気的に不接続である複数の第１補修線と、該アクティブエリア外のこれら第１補修線と反対の一側に位置してこれら第２導電線線と交錯するが電気的に不接続である複数の第２補修線と、該アクティブエリア外のこれら第１補修線と第２補修線と異なる一側に形成され、且つこれら第１補修線の一つ及びこれら第２補修線の一つの電気的に接続された複数の第３補修線と、を包含し、そのうち、これら第２導電線は複数の第２導電線グループを構成し、且つこれら第２導電線グループはそれぞれこれら第３補修線の一つに対応し、これら第２導電線の少なくとも一つがこのアクティブエリア内で切欠きを有する。（Ｂ）この切欠きを有する第２導電線とこれら第１補修線の交錯部分を溶接し、この切欠きを有する第２導電線とこれら第１補修線を電気的に接続させるステップ、（Ｃ）この切欠きを有する第２導電線とこれら第２補修線の交錯部分を溶接し、この切欠きを有する第２導電線とこれら第２補修線を電気的に接続させるステップ、を包含する。
【００１１】
本発明のフラットパネルディスプレイ用下部基板は、第１補修線、第２補修線、第３補修線で構成された「補修線路」を利用してそのデータ線が具備する切欠きにより形成される画素表示異常現象を修復する。修復プロセスの後、データ駆動チップからの信号はこの「補修線路」を通り、切欠き下方の画素の薄膜トランジスタ中に至り、これら画素が再度データ駆動チップの制御を受けて正常に動作できるようにする。このほか、本発明のフラットパネルディスプレイ用下部基板の第１補修線のデータ線との交錯部分の幅は、第１補修線のその他の部分の幅より小さく、ゆえに、この「補修線路」は第１補修線及び第２補修線がそれぞれデータ線と交錯する部分に発生するキャパシタンスを低減でき、これにより本発明のフラットパネルディスプレイ用下部基板の「補修線路」の運転時の負荷を軽減できる。
【００１２】
また、本発明のフラットパネルディスプレイ用下部基板の第３補修線はさらに２層導電構造を具え、ならびに複数の導電孔により並列回路を形成し、本発明のフラットパネルディスプレイ用下部基板の「補修線路」の抵抗は更に下げられる。これにより、本発明のフラットパネルディスプレイ用下部基板の第１補修線、第２補修線、第３補修線で構成された「補修線路」の具備する導電抵抗は伝統的な「補修線路」の導電抵抗より明らかに低く、これによりその負荷過大により形成される画素表示異常現象現象の発生率が極めて低くなり、且つ本発明のフラットパネルディスプレイ用下部基板を具えたフラットパネルディスプレイは補修プロセスにより、正常に画面を表示できる。
【００１３】
本発明のフラットパネルディスプレイ用下部基板の第１補修線は任意の類型の外形を有しうるが、好ましくは、第１補修線の、第２導電線との交錯部分の幅は、第１補修線のその他の部分の幅以下であるものとされる。
【００１４】
本発明のフラットパネルディスプレイ用下部基板の第２補修線は任意の類型の外形を有しうるが、好ましくは、第２補修線の、第２導電線との交錯部分の幅は、第２補修線のその他の部分の幅以下であるものとされる。
【００１５】
本発明のフラットパネルディスプレイ用下部基板の第２導電線はそれぞれ任意の数の第２導電線で構成された複数の第２導電線グループを構成可能であるが、好ましくは、各第２導電線グループは同じ数の第２導電線で構成される。
【００１６】
本発明のフラットパネルディスプレイ用下部基板の第３補修線は任意の類型の構造とされ得るが、好ましくは、基板上表面に形成された第１導電層、第１導電層の表面を被覆する絶縁層、該絶縁層の表面に位置する第２導電層、及び該第２導電層の表面を被覆する保護層で構成される。
【００１７】
本発明のフラットパネルディスプレイ用下部基板の第３補修線の第１導電層は任意の類型の材料で構成され得るが、好ましくはアルミニウムで構成される。
【００１８】
本発明のフラットパネルディスプレイ用下部基板の第３補修線の第２導電層は任意の類型の材料で構成され得るが、好ましくはクロム、モリブデン、モリブデン化タングステン及びその組合せとされる。
【００１９】
本発明のフラットパネルディスプレイ用下部基板の第３補修線の絶縁層は、任意の類型の材料で構成され得るが、好ましくは酸化シリコンとされる。
【００２０】
本発明のフラットパネルディスプレイ用下部基板の第３補修線の保護層は、任意の類型の材料で構成され得るが、好ましくは酸化インジウム錫とされる。
【００２１】
本発明のフラットパネルディスプレイ用下部基板の第３補修線には任意の類型の複数の導電ユニットが設置され得て、それは好ましくは、導電孔或いは導電パッドとされる。
【００２２】
本発明のフラットパネルディスプレイ用下部基板は任意の数の第３補修線を具備し得るが、その数は好ましくは２から８とされる。
【００２３】
本発明のフラットパネルディスプレイ用下部基板の第１補修線は任意の類型の構造を有し得るが、好ましくは、基板上表面に形成された第１導電層及び第１導電層の表面を被覆する絶縁層で構成される。
【００２４】
本発明のフラットパネルディスプレイ用下部基板の第２補修線は任意の類型の構造を有し得るが、好ましくは、基板上表面に形成された第１導電層及び第１導電層の表面を被覆する絶縁層で構成される。
【００２５】
本発明のフラットパネルディスプレイ用下部基板の第３補修線は第１補修線より延伸されて基板上の任意の位置を通過して第２補修線と電気的に接続され得て、それは好ましくは、第１補修線より延伸されて二つの隣り合うデータ駆動チップの間を通過して第２補修線と電気的に接続されるか、或いは第１補修線より延伸されて一つの駆動チップの下方を通過して第２補修線と電気的に接続される。
【００２６】
本発明のフラットパネルディスプレイ用下部基板の第１導電線は任意の数の走査駆動チップと電気的に接続され得るが、好ましくは４個から８個の走査駆動チップと電気的に接続される。
【００２７】
本発明のフラットパネルディスプレイ用下部基板の第２導電線は任意の数のデータ駆動チップと電気的に接続され得るが、好ましくは４個から８個のデータ駆動チップと電気的に接続される。
【００２８】
本発明のフラットパネルディスプレイ用下部基板の第３補修線は任意の類型のスイッチユニットを更に包含し、それは好ましくはトランジスタスイッチとされる。
【００２９】
本発明のフラットパネルディスプレイ用下部基板の第３補修線は第１補修線より延伸されて任意の位置を通過して第２補修線と電気的に接続され得るが、好ましくは第１補修線より延伸されて二つの隣り合う第２導電線グループの間を通過して第２補修線と電気的に接続されるか、或いは第１補修線より延伸されてそのうち一つの第２導電線グループの内に至り、第２補修線と電気的に接続される。
【００３０】
本発明のフラットパネルディスプレイ用下部基板は任意の類型の基板を使用可能であるが、好ましくはガラス基板或いはシリコン基板を使用する。
【００３１】
本発明のフラットパネルディスプレイ用下部基板は任意の種類のフラットパネルディスプレイに応用可能であるが、好ましくは、液晶ディスプレイ或いはアクティブ有機発光ダイオードディスプレイに応用される。
【００３２】
本発明のフラットパネルディスプレイ用下部基板の補修方法は任意の方法を使用してフラットパネルディスプレイ用下部基板の切欠きを有する第２導電線の、第１補修線と第２補修線との交錯部分を溶接可能であるが、好ましくはレーザー照射の方式で溶接する。
【００３３】
本発明のフラットパネルディスプレイ用下部基板の補修方法は任意の方法を使用してフラットパネルディスプレイ用下部基板の第１補修線及び第２補修線を切断し得るが、好ましくはレーザー照射の方式で所定位置で第１補修線と第２補修線を切断する。
【実施例１】
【００３４】
図４は本発明の第１実施例のフラットパネルディスプレイ用下部基板の表示図である。本発明の第１実施例のフラットパネルディスプレイ用下部基板２は、基板２１、複数の走査線２２、複数のデータ線２３、複数の第１補修線２４、複数の第２補修線２５、複数の第３補修線２６を包含する。基板２１はアクティブエリア２１１を具え、且つ複数の走査線２２と複数のデータ線２３は基板２１上に配置されならびにアクティブエリア２１１内で相互に交錯するが電気的に不接続である。また、複数の第１補修線２４と複数の第２補修線２５は基板２１上に配置され、それぞれ複数のデータ線２３と、アクティブエリア２１１の上側及び下側で交錯するが、一般の状況下で第１補修線２４と第２補修線２５はこれらデータ線２３と電気的に不接続である。第３補修線２６はアクティブエリア２１１の辺縁に沿って配置され、且つ各第３補修線２６はそれぞれ第１補修線２４の一つ及び第２補修線２５の一つと電気的に接続される。
【００３５】
また、本発明の第１実施例のフラットパネルディスプレイ用下部基板２中、複数のデータ線２３が複数のデータ線グループ２３１を構成し、且つ各データ線グループ２３１はそれぞれ第３補修線２６の一つに対応する。すなわち、各データ線グループ２３１はそれぞれ一つの第１補修線２４、一つの第２補修線２５及びそれらが電気的に接続される第３補修線２６に対応し、且つ第１補修線２４及び第２補修線２５とこの対応するデータ線グループ２３１を構成する複数のデータ線２３は交錯するが、電気的に不接続である。このほか、本発明の第１実施例のフラットパネルディスプレイ用下部基板２中、各データ線グループ２３１は同じ数の複数のデータ線２３で構成されている。
【００３６】
このほか、図４に示されるように、本発明の第１実施例のフラットパネルディスプレイ用下部基板２は複数のデータ駆動チップ２７と基板２１の上側において結合され、複数の走査駆動チップ２８と基板２１の左側において結合され、前述のデータ線２３はデータ駆動チップ２７と電気的に接続されてデータ信号を受け取る。走査線２２は走査駆動チップ２８に電気的に接続されて走査信号を受け取る。注意が必要なことは、前述のデータ駆動チップと走査駆動チップはいずれも図４に示される数に制限されるわけではなく、本発明の第１実施例のフラットパネルディスプレイ用下部基板は任意の数のデータ駆動チップと走査駆動チップに結合可能である。一般には、本発明の第１実施例のフラットパネルディスプレイ用下部基板は４個から８個のデータ駆動チップと、４個から８個の走査駆動チップと結合されるのがよい。本発明の第１実施例のフラットパネルディスプレイ用下部基板の第３補修線の数は２つから８つとされ得る。
【００３７】
図５は本発明の第１実施例のフラットパネルディスプレイ用下部基板２の第１補修線２４とデータ線２３の交錯方式を示す拡大図である。そのうち、各データ線２３はそれぞれ前述のデータ駆動チップ２７に電気的に接続され、且つデータ線２３は二つのデータ線グループ２３１、２３２を構成し、これらデータ線グループはそれぞれデータ駆動チップ２７に対応する。一方で、各データ線グループ２３１、２３２は第１補修線２４と第３補修線２６に対応し、且つこれらデータ線グループ２３１、２３２はデータ駆動チップ２７の一側に電気的に接続される。ゆえに、図４及び図５に示されるように、本発明の第１実施例のフラットパネルディスプレイ用下部基板２中、データ線グループ２３１に対応する第１補修線２４とデータ線グループ２３１を構成するデータ線２３は交錯するが、基板２１のアクティブエリア２１１の上側において電気的に不接続であり、データ線グループ２３１に対応する第３補修線２６は第１補修線２４より延伸されて二つの隣り合うデータ駆動チップ２７の間を通過しならびにアクティブエリア２１１の辺縁に沿って配置され、データ線グループ２３１に対応する第２補修線２５とアクティブエリア２１１の下側で電気的に接続される。なお、本発明の第１実施例のフラットパネルディスプレイ用下部基板２中、データ線グループの数は図５に示される数に制限されず、本発明の第１実施例のフラットパネルディスプレイ用下部基板２は異なる数のデータ線グループを有し得る。
【００３８】
このほか、図５に示されるように、第１補修線２４のデータ線２３との交錯部分２４１内で、第１補修線２４の幅は第１補修線２４のその他の部分（例えば第１補修線２４の二つの隣り合うデータ線２３の間の部分）の幅より小さい。これにより、本発明の第１実施例のフラットパネルディスプレイ用下部基板２はその第１補修線２４とそのデータ線２３との交錯部分の総面積を縮小でき、これにより本発明の第１実施例のフラットパネルディスプレイ用下部基板２はその第１補修線２４とそのデータ線２３の交錯により発生するキャパシタンスが低減され、これにより本発明の第１実施例のフラットパネルディスプレイ用下部基板２の第１補修線２４は切欠きを具えたデータ線２３の修復に応用される時の負荷を低減しならびに画素表示異常現象現象の発生を防止できる。
【００３９】
また、図６の本発明の第１実施例のフラットパネルディスプレイ用下部基板２の第２補修線２５とデータ線２３の交錯方式の表示図を参照されたい。前述したように、第２補修線とデータ線は交錯するが、基板のアクティブエリアの下側において電気的に不接続であり、且つ第２補修線は第３補修線との電気的接続方式により、アクティブエリアの上側に位置する第１補修線と電気的に接続される。前述したように、本発明の第１実施例のフラットパネルディスプレイ用下部基板中、データ線は複数のデータ線グループを構成可能で、各データ線グループは更に二つのデータ線サブグループに分割され得る。図６に示されるように、図５に示される二つのデータ線グループ２３１、２３２はさらに四つのデータ線サブグループ２３１１、２３１２、２３２１、２３２２に分割され得る。データ線グループ２３１に対応する第２補修線２５はデータ線グループ２３１を分割してなるデータ線サブグループ２３１１、２３１２を構成するデータ線２３と交錯するが、基板のアクティブエリアの下側で電気的に不接続である。
【００４０】
このほか、図６に示されるように、第２補修線２５のデータ線２３との交錯部分２５１内で、第２補修線２５の幅は第２補修線２５のその他の部分（例えば第２補修線２５の二つの隣り合うデータ線２３の間に位置する部分）の幅より小さい。これにより、本発明の第１実施例のフラットパネルディスプレイ用下部基板２はその第２補修線２５のデータ線２３との交錯部分の総面積を縮小可能で、これにより本発明の第１実施例のフラットパネルディスプレイ用下部基板２はその第２補修線２５とそのデータ線２３の交錯により発生するキャパシタンスが低減し、それにより本発明の第１実施例のフラットパネルディスプレイ用下部基板２の第２補修線２５は切欠きを有するデータ線２３を補修する時の負荷を減らすことができ並びに画素表示異常現象現象の発生を防止できる。
【００４１】
図７は図５のＡ−Ａ’線に沿って得られた本発明の第１実施例のフラットパネルディスプレイ用下部基板の第１補修線の断面図である。図７に示されるように、第１補修線２４は基板２１に形成された第１導電層３１及び絶縁層３２で構成される。このほか、絶縁層３２は第１導電層３１の表面を被覆し、第１補修線２４とその上方において交錯する複数のデータ線（図示せず）を絶縁させる。図８は図６のＢ−Ｂ’線に沿った本発明の第１実施例のフラットパネルディスプレイ用下部基板の第２補修線の断面図であり、図８に示されるように、第２補修線２５もまた基板２１に形成された第１導電層３１と絶縁層３２で構成される。このほか、前述の絶縁層３２は第１導電層３１表面を被覆して、第２補修線２５とその上方において交錯する複数のデータ線（図示せず）を絶縁させる。
【００４２】
図９は、図６のＣ−Ｃ’線に沿った本発明の第１実施例のフラットパネルディスプレイ用下部基板の第３補修線の断面図である。図９に示されるように、第３補修線２６は基板２１に形成された、第１導電層３１、絶縁層３２、第２導電層３３及び保護層３４で構成される。そのうち、第２導電層３３は絶縁層３２の表面を被覆し、保護層３４は更に第２導電層３３の表面を被覆する。このほか、第３補修線２６はその第１導電層３１及び第２導電層３３と並列接続状態の方式を呈するものとされ、これによりその導電抵抗が低減され、第３補修線２６は更に複数の、それぞれ第１導電層３１と第２導電層３３と電気的に接続された導電孔（図示せず）を包含し、且つこれら導電孔（図示せず）は第３補修線２６に離間設置される。こうして、本発明の第１実施例のフラットパネルディスプレイ用下部基板の第３補修線２６は並列接続回路の導電線とされ、その導電抵抗は、伝統的な、わずかに単一の導電層のみを有する導電線の導電抵抗よりも低いものとされる。
【００４３】
前述したように、本発明の第１実施例のフラットパネルディスプレイ用下部基板の第１補修線、第２補修線、第３補修線は一部の構造、例えば第１導電層３１と絶縁層３２が同じであり、且つ本発明の第１実施例のフラットパネルディスプレイ用下部基板を製造する時、第１補修線、第２補修線及び第３補修線は基板上の異なる位置に同時に形成される。このほか、本発明の第１実施例のフラットパネルディスプレイ用下部基板の製造過程中、第１導電層３１の材質は一般にアルミニウムとされ、絶縁層３２の材質は一般に酸化シリコンとされ、第２導電層３３の材質は一般にクロム、モリブデン、モリブデン化タングステン及びその組合せとされ、保護層３４の材質は一般に酸化インジウム錫（ＩＴＯ）とされる。
【実施例２】
【００４４】
図１０は補修が必要なフラットパネルディスプレイ用下部基板４の表示図である。それは、基板４１、複数の走査線４２、複数のデータ線４３、複数の第１補修線４４、複数の第２補修線４５及び複数の第３補修線４６を包含する。そのうち、基板４１はアクティブエリア４１１を具え、且つ複数の走査線４２及び複数のデータ線４３は基板４１上に配置され並びにアクティブエリア４１１内で相互に交錯するが電気的に不接続とされる。また、複数の第１補修線４４と複数の第２補修線４５は基板４１に配置され、それぞれ複数のデータ線４３とアクティブエリア４１１の上側及び下側で交錯するが、ただし一般の状況で、第１補修線４４及び第２補修線４５はデータ線４３と電気的に不接続である。第３補修線４６はそれぞれ第１補修線４４の一つ及び第２補修線４５の一つと電気的に接続されている。
【００４５】
また、この補修が必要なフラットパネルディスプレイ用下部基板４中、前述の複数のデータ線４３は複数のデータ線グループ４３１を構成し、且つ各データ線グループ４３１は第３補修線４６の一つに対応する。すなわち、各データ線グループ４３１はそれぞれ一つの第１補修線４４、一つの第２補修線４５及びそれらと電気的に接続された第３補修線４６に対応し、且つ第１補修線４４と第２補修線４５とこの対応するデータ線グループ４３１を構成する複数のデータ線４３は交錯するが電気的に不接続である。このほか、この補修が必要なフラットパネルディスプレイ用下部基板４中、各データ線グループ４３１は同じ数の複数のデータ線４３で構成され得る。
【００４６】
図１０に示されるように、この補修が必要なフラットパネルディスプレイ用下部基板４の具備するデータ線グループ４３１のうちの一つのデータ線４３３にアクティブエリア４１１内で切欠き４３４がある時、このデータ線４３３は線路が切断される。このとき、データ駆動チップ４７が出力するデータ信号はデータ線４３３を通りこのデータ線４３３と電気的に接続された各画素の薄膜トランジスタ（図示せず）に伝送されることができなくなり、このためこれら画素の表示状況は制御不能となり、表示異常現象が形成される。
【００４７】
図１１は図１０の補修が必要なフラットパネルディスプレイ用下部基板の第１補修線とデータ線の交錯方式を示す拡大図である。そのうち、各データ線４３はそれぞれ前述のデータ駆動チップ４７に電気的に接続され、且つデータ線４３は二つのデータ線グループ４３１と４３２を構成し、それぞれデータ駆動チップ４７に対応する。また、各データ線グループ４３１と４３２は第１補修線４４と第３補修線４６に対応し、且つ両者はデータ駆動チップ４７の一側に電気的に接続される。前述の切欠き４３４を具えたデータ線４３３はデータ線グループ４３１中に位置する。
【００４８】
ゆえに、図１０と図１１に示されるように、データ線グループ４３１に対応する第１補修線４４とこのデータ線グループ４３１を構成するデータ線４３は交錯するが、基板４１のアクティブエリア４１１の上側において電気的に不接続であり、データ線グループ４３１に対応する第３補修線４６は第１補修線４４より延伸されて二つの隣り合うデータ駆動チップ４７の間を通過し並びにアクティブエリア４１１の辺縁に沿って配置され、データ線グループ４３１に対応する第２補修線４５とアクティブエリア４１１の下側において電気的に接続される。
【００４９】
このほか図１０に示されるように、この補修が必要なフラットパネルディスプレイ用下部基板４は複数のデータ駆動チップ４７とアクティブエリア４１１の上側において結合可能であるほか、それは複数の走査駆動チップ４８とアクティブエリア４１１の左側において結合可能であり、これにより前述の複数のデータ線４３がデータ駆動チップ４７に電気的に接続されてデータ信号を受信可能となり、前述の複数の走査線４２が電気的に走査駆動チップ４８に接続されて走査信号を受信可能となる。
【００５０】
図１２を参照されたい。図１２は図１０の補修が必要なフラットパネルディスプレイ用下部基板の第２補修線とデータ線の交錯方式の表示図である。前述したように、この補修が必要なフラットパネルディスプレイ用下部基板中、データ線は複数のデータ線グループを構成可能で、各データ線グループは更に二つのデータ線サブグループに分割可能である。図１２に示されるように、図１１に示される二つのデータ線グループ４３１、４３２はさらに四つのデータ線サブグループ４３１１、４３１２、４３２１、４３２２に分割され得る。データ線グループ４３１に対応する第２補修線４５は二つの、データ線グループ４３１を分割してなるデータ線サブグループ４３１１、４３１２のデータ線４３と交錯するがアクティブエリアの下側において電気的に不接続である。
【００５１】
以下に図１０から図１２を組み合わせて、いかに本発明の第２実施例のフラットパネルディスプレイ用下部基板の補修方法によりこの補修が必要なフラットパネルディスプレイ用下部基板を補修するかを説明する。図１３に示されるように、この補修方法は少なくとも以下のステップを包含する。即ち、
ステップＡ：フラットパネルディスプレイ用下部基板を提供する。このフラットパネルディスプレイ用下部基板は図１０に示されるように、アクティブエリア４１１を具えた基板４１、該基板４１に配置された複数の走査線４２、該基板４１に配置されてこれら走査線４２とこのアクティブエリア４１１において交錯するが電気的に不接続である複数のデータ線４３、これらデータ線４３と交錯するが電気的に不接続でありこのアクティブエリア４１１外の一側に位置する複数の第１補修線４４、該アクティブエリア４１１外のこれら第１補修線４４とは別の一側に位置しこれらデータ線４３と交錯するが電気的に不接続である複数の第２補修線４５、及び、このアクティブエリア４１１外の、これら第１補修線４４ともこれら第２補修線４５とも異なる一側に位置し、それぞれこれら第１補修線４４の一つ及びこれら第２補修線４５の一つと電気的に接続された複数の第３補修線４６、を包含し、これらデータ線４３（即ちデータ線４３３）は切欠き４３４をこのアクティブエリア４１１内において具備する。
ステップＢ：レーザー照射方式でこのデータ線４３３と第１補修線４４の交錯部分４４１を溶接し（図１１参照）、データ線４３３と第１補修線４４を電気的に接続させる。
ステップＣ：レーザー照射方式でこのデータ線４３３と第２補修線４５の交錯部分４５１を溶接し（図１２参照）、データ線４３３と第１補修線４５を電気的に接続させる。
以上を包含する。
【００５２】
切欠き４３４を具えたデータ線４３３と第１補修線４４及び第２補修線４５がそれぞれアクティブエリア４１１の上側及び下側において電気的に接続された後、もともとデータ線４３３を通して切欠き４３４下方の画素の薄膜トランジスタ（図示せず）に伝送されるべきデータ信号は経路を変更し、第１補修線４４、第３補修線４６、第２補修線４５及び切欠き４３４下方に位置するデータ線４３３を通り、切欠き４３４下方に位置する画素の薄膜トランジスタ（図示せず）中に到達し、これによりこれら画素が再度データ駆動チップの制御を受けて正常に作動する。
【００５３】
前述のレーザー照射方式を利用して切欠き４３４を具えたデータ線４３３と第１補修線４４を、アクティブエリア４１１の上側において電気的に接続させるステップ（ステップＢ）の後、本発明の第２実施例のフラットパネルディスプレイ用下部基板の補修方法は、更に、ステップＢ１を包含し、すなわち、レーザー照射の方式を利用し、データ線４３３と第１補修線４４の交錯部分４４１の右側の切断点４４２で第１補修線４４を切断し、切断点４４２の両側に位置する第１補修線４４を相互に絶縁し、これは図１１に示されるとおりである。こうして、切断点４４２の右側に位置する第１補修線４４部分を第１補修線４４のその他の部分、第３補修線４６及び第２補修線４５で構成された「補修線路」より隔離する。一方で、同様に、前述のレーザー照射の方式を利用し、切欠き４３４を具えたデータ線４３３を、アクティブエリア４１１の下側において第２補修線４５と電気的に接続させるステップ（ステップＣ）の後、本発明の第２実施例のフラットパネルディスプレイ用下部基板の補修方法は、ステップＣ１を有し得て、即ち、レーザー照射の方式を利用し、切断点４５２及び切断点４５３で第２補修線４５を切断し、そのうち、切断点４５２は交錯部分４５１の左側に位置し、切断点４５３は第３補修線４６と第２補修線４５の電気的接続位置の右側に位置する。こうして、切断点４５２の左側及び切断点４５３の右側に位置する第２補修線４５の部分は、第１補修線４４、第３補修線４６及びデータ線４３と電気的に接続された第２補修線４５の部分で構成された「補修線路」より隔離される。
【００５４】
前述の「溶接」と「切断」の後、前述の補修が必要なフラットパネルディスプレイ用下部基板４は第１補修線４４、第２補修線４５及び第３補修線４６で構成された「補修線路」の助けにより、これらの切欠き４３４下方に位置する画素の薄膜トランジスタ（図示せず）は再度データ駆動チップ４７の制御を受けて正常に動作可能となる。このほか、前述の「補修線路」を構成しない第１補修線４４及び第２補修線４５の部分は切断の方式でこの「補修線路」と絶縁され、ゆえに、これらの「余分」の部分はこの「補修線路」の運転時にこの「補修線路」に余分のキャパシタンスを増すことがなく、キャパシタンスの増加による「補修線路」の運転時の負荷を形成して画素表示異常現象現象を発生することがない。
【実施例３】
【００５５】
図１４は本発明の第３実施例のフラットパネルディスプレイ用下部基板の第２補修線とデータ線の交錯方式を示す拡大図である。そのうち、データ線は複数のデータ線グループ５１１と５１２を構成し、且つ各データ線グループ５１１と５１２はさらに二つのデータ線サブグループに分割され、即ち図１４に示される二つのデータ線グループ５１１、５１２はさらに四つのデータ線サブグループ５１１１、５１１２、５１２１、５１２２に分割され、各データ線サブグループ５１１１、５１１２、５１２１、５１２２はいずれも同じ数のデータ線で構成される。図１４に示されるように、第２補修線５２１、５２２、５２３、５２４はそれぞれ前述のデータ線サブグループ５１１１、５１１２、５１２１、５１２２を構成するデータ線と交錯するが電気的に不接続である。このほか、第２補修線５２１と５２２は第３補修線５３１との電気的に接続される方式により、この実施例のフラットパネルディスプレイ用下部基板のアクティブエリアの上側に位置する一つの第１補修線（図示せず）と電気的に接続される。第２補修線５２３と５２４は第３補修線５３２と電気的に接続される方式により、この実施例のフラットパネルディスプレイ用下部基板のアクティブエリアの上側に位置する別の第１補修線（図示せず）と電気的に接続される。
【００５６】
データ線サブグループ５１１２に位置するデータ線５１１３及びデータ線サブグループ５１２１に位置するデータ線５１２３は補修が必要である時、レーザー照射の方式でデータ線５１１３と第２補修線５２２の交錯部分５１１４及びデータ線５１２３と第２補修線５２３の交錯部分５１２４がそれぞれ溶接され、これによりデータ線５１１３が第３補修線５３１によりこの実施例のフラットパネルディスプレイ用下部基板のアクティブエリア上側に位置する第１補修線（図示せず）と電気的に接続され、データ線５１２３が第３補修線５３２によりこの実施例のフラットパネルディスプレイ用下部基板のアクティブエリアの上側に位置する第１補修線（図示せず）と電気的に接続される。このほか、第２補修線５２１と第２補修線５２４は並びに前述の補修プロセスが用いられず、ゆえに前述の溶接プロセスの後、さらにレーザー照射の方式を利用し、切断点５４１と切断点５４２で第２補修線５２１と第２補修線５２４がそれぞれ切断され、第２補修線５２１と第２補修線５２４が前述の溶接プロセスにより構成された「補修線路」と隔離される。
【００５７】
このほか、さらにレーザー照射の方式を利用し、切断点５４３及び切断点５４４でそれぞれ第２補修線５２２と第２補修線５２３を切断し、そのうち、切断点５４３は交錯部分５１１４の右側に位置し、切断点５４４は交錯部分５１２４の右側に位置する。こうして、切断点５４３の右側に位置する第２補修線５２２と切断点５４４の右側に位置する第２補修線５２３部分も前述の溶接のプロセスで構成された「補修線路」と隔離される。こうして、「補修線路」に用いられない余分の部分は「補修線路」運転時に余分のキャパシタンスを形成し得ず、そのため「補修線路」の運転時の負荷を形成することがなく、画素表示異常現象現象の発生を防止できる。
【実施例４】
【００５８】
図１５は本発明の第４実施例のフラットパネルディスプレイ用下部基板の第２補修線とデータ線の交錯方式を示す拡大図である。そのうち、データ線は複数のデータ線グループ５５５と５５２を構成し、且つ各データ線グループ５５１と５５２はさらに二つのデータ線サブグループに分割され、即ち図１５に示される二つのデータ線グループ５５１、５５２はさらに四つのデータ線サブグループ５５１１、５５１２、５５２１、５５２２に分割され、各データ線サブグループ５５１１、５５１２、５５２１、５５２２はいずれも同じ数のデータ線で構成される。図１５に示されるように、第２補修線５６１、５６２、５６３、５６４はそれぞれ前述のデータ線サブグループ５５１１、５５１２、５５２１、５５２２を構成するデータ線と交錯するが電気的に不接続である。このほか、第２補修線５６１と５６２は第３補修線５７１との電気的に接続される方式により、この実施例のフラットパネルディスプレイ用下部基板のアクティブエリアの上側に位置する一つの第１補修線（図示せず）と電気的に接続される。第２補修線５６３と５６４は第３補修線５７２と電気的に接続される方式により、この実施例のフラットパネルディスプレイ用下部基板のアクティブエリアの上側に位置する別の第１補修線（図示せず）と電気的に接続される。
【００５９】
データ線サブグループ５５１１に位置するデータ線５５１３及びデータ線サブグループ５５２２に位置するデータ線５５２３は補修が必要である時、レーザー照射の方式でデータ線５５１３と第２補修線５６１の交錯部分５８１及びデータ線５５２３と第２補修線５６４の交錯部分５８２がそれぞれ溶接され、これによりデータ線５５１３が第３補修線５７１によりこの実施例のフラットパネルディスプレイ用下部基板のアクティブエリア上側に位置する第１補修線（図示せず）と電気的に接続され、データ線５５２３が第３補修線５７２によりこの実施例のフラットパネルディスプレイ用下部基板のアクティブエリアの上側に位置する第１補修線（図示せず）と電気的に接続される。このほか、第２補修線５６２と第２補修線５６３は並びに前述の補修プロセスが用いられず、ゆえに前述の溶接プロセスの後、さらにレーザー照射の方式を利用し、切断点５９１と切断点５９２で第２補修線５６２と第２補修線５６３がそれぞれ切断され、第２補修線５６２と第２補修線５６３が前述の溶接プロセスにより構成された「補修線路」と隔離される。
【００６０】
このほか、さらにレーザー照射の方式を利用し、切断点５９３及び切断点５９４でそれぞれ第２補修線５６１と第２補修線５６４を切断し、そのうち、切断点５９３は交錯部分５８１の左側に位置し、切断点５９４は交錯部分５８２の右側に位置する。こうして、切断点５９３の左側に位置する第２補修線５６１と切断点５９４の右側に位置する第２補修線５６４部分も前述の溶接のプロセスで構成された「補修線路」と隔離される。こうして、「補修線路」に用いられない余分の部分は「補修線路」運転時に余分のキャパシタンスを形成し得ず、そのため「補修線路」の運転時の負荷を形成することがなく、画素表示異常現象現象の発生を防止できる。
【実施例５】
【００６１】
図１６は本発明の第５実施例のフラットパネルディスプレイ用下部基板の表示図である。その構造は本発明の第１実施例のフラットパネルディスプレイ用下部基板と略同じである。この第５実施例では、フラットパネルディスプレイ用下部基板６は、基板６１、複数の走査線６２、複数のデータ線６３、複数の第１補修線６４、複数の第２補修線６５、複数の第３補修線６６を包含する。基板６１はアクティブエリア６１１を具え、且つ複数の走査線６２と複数のデータ線６３は基板６１上に配置されならびにアクティブエリア６１１内で相互に交錯するが電気的に不接続である。また、前述の第１補修線６４と前述の第２補修線６５は基板６１上に配置され、それぞれ複数のデータ線６３と、アクティブエリア６１１の上側及び下側で交錯するが、一般の状況下で第１補修線６４と第２補修線６５はこれらデータ線６３と電気的に不接続である。第３補修線６６はアクティブエリア６１１の辺縁に沿って配置され、且つ各第３補修線６６はそれぞれ第１補修線６４の一つ及び第２補修線６５の一つと電気的に接続される。また、図１６に示されるように、本発明の第５実施例のフラットパネルディスプレイ用下部基板６は、複数のデータ駆動チップ６７とアクティブエリア６１１の上側において結合され、並びに、複数の走査駆動チップ６８とアクティブエリア６１１の左側において結合され、前述の複数のデータ線６３がデータ駆動チップ６７に電気的に接続されてデータ信号を受信し、前述の複数の走査線６２が走査駆動チップ６８に電気的に接続されて走査信号を受信する。
【００６２】
この実施例のフラットパネルディスプレイ用下部基板の、本発明の第１実施例のフラットパネルディスプレイ用下部基板と異なるところは以下のとおりである。即ち、各第３補修線６６に、データ駆動チップ６７の傍らにおいて演算増幅器６６１がそれぞれ設置され、データ駆動チップ６７からの信号を増幅する。このほか、第３補修線の、演算増幅器６６１の一側に更にスイッチ６６２が設置され、それは好ましくはトランジスタスイッチとされる。こうして、これらの「補修線路」の構成に用いられない第１補修線部分は、「補修線路」を構成する第１補修線部分と隔離される。こうして、「補修線路」に用いられない余分の部分が「補修線路」の運転時に「補修線路」に余分な負荷を形成することがなく、画素表示異常現象現象の発生を防止できる。
【００６３】
このほか、この実施例のフラットパネルディスプレイ用下部基板は、「補修線路」に応用される演算増幅器の出力がアクシデントでその他の「補修線路」に応用されない演算増幅器の出力端内に流入した時に、これらの演算増幅器を具備するデータ駆動チップの運転時の安定性に影響を与えるのを防止できる。
【実施例６】
【００６４】
図１７は本発明の第６実施例のフラットパネルディスプレイ用下部基板の第１補修線とデータ線の交錯方式を示す拡大図である。そのうち、第１補修線７１と複数のデータ線７２はデータ駆動チップ７３の一側において交錯し、且つ各データ線７２はデータ駆動チップ７３にそれぞれ電気的に接続される。この実施例中、前述の本発明の第１実施例のフラットパネルディスプレイ用下部基板と異なるところは以下のとおりである。すなわち、第３補修線７４はデータ駆動チップ７３の下方を通過して第１補修線７１と電気的に接続され、これにより第１補修線７２とアクティブエリアのもう一側に位置する第２補修線（図示せず）が電気的に接続され、第１補修線７１より延伸され二つの隣り合うデータ駆動チップ７３の間を通過してアクティブエリアのもう一側に位置する第２補修線（図示せず）と電気的に接続されるのではない。これにより、データ駆動チップ７３のピン数は増加し、隣り合う第３補修線７４の距離は一定の距離を保持可能で、これにより切欠き（図示せず）を具備するデータ線７２１と第１補修線７１の交錯部分７５と第３補修線７４と第１補修線７１の電気的接続位置の距離は、データ駆動チップ７３の幅の２分の１の範囲内に保持され、有効に「補修線路」を構成する第１補修線７１部分の長さ（即ち第１補修線７１とデータ線７２が相互に交錯する部分の長さ）を短縮でき、これによりこの部分の第１補修線７１部分が、データ線７２との交錯により形成するキャパシタンスを減らすことができる。
【００６５】
また、図１７に示されるように、交錯部分７５の範囲内において、第１補修線７１の幅は第１補修線７１のその他の部分（第１補修線７１の二つの隣り合うデータ線７２の間に位置する部分）の幅より小さく、本発明の第６実施例のフラットパネルディスプレイ用下部基板はその第１補修線７１とそのデータ線７２の交錯部分の総面積及び長さを縮小可能で、それにより、第１補修線７１とデータ線７２の交錯により発生するキャパシタンスを減らし、それにより本発明の第６実施例のフラットパネルディスプレイ用下部基板の「補修線路」が切欠きを有するデータ線の補修に用いられる時の負荷を減らし、並びに画素表示異常現象現象を防止できる。
【００６６】
上述の実施例は説明の為に提示されたものに過ぎず、本発明の主張する権利範囲はその特許請求の範囲の記載に準じ、上述の実施例に限定されない。
【図面の簡単な説明】
【００６７】
【図１】周知のフラットパネルディスプレイ用下部基板の表示図である。
【図２】図１中の第１補修線とデータ線の交錯方式の拡大表示図である。
【図３】図１中の第２補修線とデータ線の交錯方式の拡大表示図である。
【図４】本発明の第１実施例のフラットパネルディスプレイ用下部基板の表示図である。
【図５】本発明の第１実施例のフラットパネルディスプレイ用下部基板２の第１補修線２４とデータ線２３の交錯方式を示す拡大図である。
【図６】本発明の第１実施例のフラットパネルディスプレイ用下部基板２の第２補修線２５とデータ線２３の交錯方式を示す拡大図である。
【図７】図５のＡ−Ａ’線に沿って得られた本発明の第１実施例のフラットパネルディスプレイ用下部基板の第１補修線の断面図である。
【図８】図６のＢ−Ｂ’線に沿った本発明の第１実施例のフラットパネルディスプレイ用下部基板の第２補修線の断面図である。
【図９】図６のＣ−Ｃ’線に沿った本発明の第１実施例のフラットパネルディスプレイ用下部基板の第３補修線の断面図である。
【図１０】本発明により補修される補修が必要なフラットパネルディスプレイ用下部基板４の表示図である。
【図１１】図１０の補修が必要なフラットパネルディスプレイ用下部基板の第１補修線とデータ線の交錯方式を示す拡大図である。
【図１２】図１０の補修が必要なフラットパネルディスプレイ用下部基板の第２補修線とデータ線の交錯方式の表示図である。
【図１３】本発明の補修が必要なフラットパネルディスプレイ用下部基板の補修方法のフローチャートである。
【図１４】本発明の第３実施例のフラットパネルディスプレイ用下部基板の第２補修線とデータ線の交錯方式を示す拡大図である。
【図１５】本発明の第４実施例のフラットパネルディスプレイ用下部基板の第２補修線とデータ線の交錯方式を示す拡大図である。
【図１６】本発明の第５実施例のフラットパネルディスプレイ用下部基板の表示図である。
【図１７】本発明の第６実施例のフラットパネルディスプレイ用下部基板の第１補修線とデータ線の交錯方式を示す拡大図である。
【符号の説明】
【００６８】
１  フラットパネルディスプレイ用下部基板      １１  基板
１１１  アクティブエリア    １２  走査線      １３  データ線
１３１  データ線            １３２  切欠き    １３３、１３４  交錯部分
１４  第１補修線            １５  第２補修線  １６  第３補修線
１７  第１ボンディングパッド      １８  第２ボンディングパッド
２１  基板
２  フラットパネルディスプレイ用下部基板      ２１１  アクティブエリア
２２  走査線      ２３  データ線    ２３１、２３２  データ線グループ
２３１１、２３１２、２３２１、２３２２  データ線サブグループ
２４  第１補修線              ２４１  交錯部分
２５  第２補修線              ２６  第３補修線
２７  データ駆動チップ        ２８  走査駆動チップ
３１  第１導電層              ３２  絶縁層
３３  第２導電層              ３４  保護層
４  フラットパネルディスプレイ用下部基板          ４１  基板
４１１  アクティブエリア      ４２  走査線        ４３  データ線
４３１、４３２  データ線グループ        ４３３  データ線
４３１１、４３１２、４３２１、４３２２  データ線サブグループ
４３４  切欠き                ４４  第１補修線
４４１  交錯部分              ４４２  切断点
４５  第２補修線              ４５１  交錯部分
４５２、４５３  切断点        ４６  第３補修線
４７  データ駆動チップ        ４８  走査駆動チップ
５１１、５１２  データ線グループ        ５１１３、５１２３  データ線
５１１１、５１１２、５１２１、５１２２  データ線サブグループ
５１１４、５１２４  交錯部分    ５２１、５２２、５２３、５２４  第２補修線
５３１、５３２  第３補修線      ５４１、５４２、５４３  切断点
５５１、５５２  データ線グループ
５５１１、５５１２、５５２１、５５２２  データ線サブグループ
５５１３、５５２３  データ線
５６１、５６２、５６３、５６４  第２補修線    ５７１、５７２  第３補修線
５８１、５８２  交錯部分          ５９１、５９２、５９３、５９４  切断点
６  フラットパネルディスプレイ用下部基板        ６１  基板
６１１  アクティブエリア          ６２  走査線      ６３  データ線
６３１、６３２  データ線グループ    ６４  第１補修線
６５  第２補修線          ６６  第３補修線        ６６１  演算増幅器
６６２  スイッチ          ６７  データ駆動チップ    ６８  走査駆動チップ
７１  第１補修線          ７２、７２１  データ線    ７３  データ駆動チップ
７４  第３補修線          ７５  交錯部分
【図１】
2009020477.tif 000003
【図２】
2009020477.tif 000004
【図３】
2009020477.tif 000005
【図４】
2009020477.tif 000006
【図５】
2009020477.tif 000007
【図６】
2009020477.tif 000008
【図７】
2009020477.tif 000009
【図８】
2009020477.tif 000010
【図９】
2009020477.tif 000011
【図１０】
2009020477.tif 000012
【図１１】
2009020477.tif 000013
【図１２】
2009020477.tif 000014
【図１３】
2009020477.tif 000015
【図１４】
2009020477.tif 000016
【図１５】
2009020477.tif 000017
【図１６】
2009020477.tif 000018
【図１７】
2009020477.tif 000019